(57)【要約】【課題】就寝中あるいは休息中に寝返りを打ったり、動いたりする度に巻き付けた部分の筋肉を圧迫してマッサージ効果を得ることのできる巻枕を提供する。【解決方法】首、肩、腕、腰、腿等身体の各部に巻き付けて使用する巻枕１０であって、6個の大径こぶ状袋１２ａ，１２ｂ，１２ｃ，１２ｄ，１２ｅ，１２ｆと該大径こぶ状袋１２ａ，１２ｂ，１２ｃ，１２ｄ，１２ｅ，１２ｆ同士を連通する小径筒状袋１３ａ，１３ｂ，１３ｃ，１３ｄ，１３ｅからなる１ｍ前後の長尺袋１１構造を有し、雄型留め具１４ａを長尺袋１１のこぶ状袋１２ａに取付け、雌型留め具１４ｂを長尺袋１１のこぶ状袋１２ｆに取付けると共に、長尺袋１１内部にクッション材を充填して構成する。【選択図】図１
2006314614.tif 000002
【特許請求の範囲】
【請求項１】
首、肩、腕、腰、腿等身体の各部に巻き付けて使用する巻枕であって、複数の大径こぶ状袋部分と、各大径こぶ状袋部分同士を連通する小径筒状袋部分からなる長尺袋構造を有し、両袋部分の内部にクッション材を充填し、対を成す留め具の一方を一端のこぶ状袋部分に取付け、対を成す留め具の他方を他端のこぶ状袋部分に取付たことを特徴とする巻枕。
【請求項２】
５〜７個の前記こぶ状袋部分を備えたことを特徴とする請求項１に記載の巻枕。
【発明の詳細な説明】
【技術分野】
【０００１】
本発明は、首、腕、腰等身体の各部に巻き付けて使用する巻枕に関する。
【背景技術】
【０００２】
枕の一形式として、特開２００２−１５３３６７号には細長い枕本体の両端に留め具を取付け、首や腰に巻付けて留め具で枕の両端を連結することで、寝返りを打ったり、動いても枕の位置がずれたり、外れたりしないようにした枕が開示されている。
また、枕の一形式として特開２０００−５１０３４号には、４個の枕袋を順に紐で連結し、各枕袋にクッション材を充填した枕が開示されている。
【特許文献１】特開２００２−１５３３６７号
【特許文献２】特開２０００−５１０３４号
【発明の開示】
【発明が解決しようとする課題】
【０００３】
上記した従来の枕は寝返りを打ってもずれたり外れたりしない、あるいは頭以外の身体部分の下に敷いて使用する場合にずれたり、外れたりしないといった利点があるものの、専ら就寝あるいは休息に用いられるだけで従来の枕の用途の域を出るものではない。
【０００４】
本発明はかかる枕の限られた用途に鑑み、用途をより拡げてその商品価値を高めるべく、首、腰、腕等に巻き付けて使用することにより、就寝中あるいは休息中に寝返りを打ったり、動いたりする度に巻き付けた部分の筋肉を圧迫してマッサージ効果を得ることのできる巻枕を提供することを目的とする。
【課題を解決するための手段】
【０００５】
請求項１に記載の発明は、首、肩、腕、腰、腿等身体の各部に巻き付けて使用する巻枕であって、複数の大径こぶ状袋部分と、各大径こぶ状袋部分同士を連通する小径筒状袋部分からなる長尺袋構造を有し、両袋部分の内部にクッション材を充填し、対を成す留め具の一方を一端のこぶ状袋部分に取付け、対を成す留め具の他方を他端のこぶ状袋部分に取付たことを特徴とする。
そして、好ましくは５〜７個のこぶ袋部分を備えたことを特徴とする。
【発明の効果】
【０００６】
本発明に係る巻枕は首から肩に掛けて巻き付けたり、腕に巻き付けたり、腰に巻き付けて使用する。しかして、就眠中あるいは休息中に寝返りを打ったり、動いたりすると各こぶ状袋によって筋肉が圧迫されるので、マッサージ効果が生ずる。
そして、こぶ状袋部分は５〜７個設けることが好ましい。とくに巻枕の全長を首から肩に掛けて巻き付けるに適した長さにしたとき、こぶ状袋部分を４個以下又は８個以上設けると、首や肩胛骨のつぼにこぶ状袋部分が当たり難く、マッサージ効果が低くなる。
【発明を実施するための最良の形態】
【０００７】
首、肩、腕、腰、腿等身体の各部に巻き付けて使用する巻枕であって、６個の大径こぶ状袋部分と該大径こぶ状袋部分同士を連通する小径筒状袋部分からなる長尺袋構造を有し、係合部を形成した雄型留め具を前記長尺袋をなす一端のこぶ状袋部分に取付け、被係合部を形成した雌型留め具を前記長尺袋をなす他端のこぶ状袋部分に取付けると共に、前記長尺袋内部にクッション材を充填して構成する。
【実施例１】
【０００８】
以下に本発明を図面に基づき説明する。図１に示す巻枕１０は、６個のこぶ状袋１２ａ，１２ｂ，１２ｃ，１２ｄ，１２ｅ，１２ｆと、こぶ状袋１２ａ，１２ｂ，１２ｃ，１２ｄ，１２ｅ，１２ｆの間に５個の筒状袋１３ａ，１３ｂ，１３ｃ，１３ｄ，１３ｅを連通してなる長尺袋１１に、留め具１４ａ，１４ｂのうち、鉤状の係合部を形成した雄型留め具１４ａを長尺袋１１の一端のこぶ状袋１２ａに取付け、鉤が係止するように被係合部を形成した雌型留め具１４ｂを長尺袋１１の他端のこぶ状袋１２ｆに取付ける。
長尺袋１１は、織布を直径が８ｃｍ乃至１０ｃｍの円形状に形成し、円形状の部分同士を長手方向の長さが８ｃｍ乃至１２ｃｍで幅が２ｃｍ乃至４ｃｍ前後の短冊状に形成した部分で連接した上布１６と、同形状に形成した下布１７とを、織布を幅が１ｃｍ乃至３ｃｍの帯状に形成した側帯１８と、該側帯１８と幅が同程度で長さが短い帯状に形成した補助側帯１８ａとに縫着して形成される。
そして、上布１６の円形状に形成された部分１６ａ及び下布１７の円形状に形成された部分１７ａはこぶ状袋１２ａ，１２ｂ，１２ｃ，１２ｄ，１２ｅ，１２ｆに形成され、上布１６の短冊状に形成された部分１６ｂ及び下布１７の短冊状に形成された部分１７ｂは筒状袋１３ａ，１３ｂ，１３ｃ，１３ｄ，１３ｅに形成される。このとき、筒状袋１３ｃは他の筒状袋１３ａ，１３ｂ，１３ｄ，１３ｅよりも若干長めに形成される。そして長尺袋１１はおよそ１ｍ前後の長さに形成される。
【０００９】
図２に図１に示すこぶ状袋１２ｂと、こぶ状袋の両端に連通する筒状袋１３ａ，１３ｂの部分断面図を示す。
長尺袋１１内部には、クッション材１５が充填される。このクッション材１５は、トルマリンを配合した合成樹脂製パイプを５ｍｍ乃至１ｃｍ前後の長さに細かく切断したものが用いられる。
こぶ状袋１２ｂは、上記のように上布１６、下布１７及び側帯１８によって形成されるので、幅方向に切断した際、上布１６、下布１７の円形状に形成した部分１６ａ、１７ａ及び側帯１８とから構成される部分は、円形状に形成した部分１６ａ、１７ａが側帯１８に比べて幅方向の長さが長く、縫着すると径が筒状袋１３ａ，１３ｂと比べて大きい大径状のこぶ状袋１２ｂに構成される。対して、上布１６、下布１７の短冊状に形成した部分１６ｂ、１７ｂ及び側帯１８とから構成される部分は、短冊状に形成した部分１６ｂ、１７ｂと側帯１８とが、略同じ幅からなるので縫着すると筒状に形成され、径が小さい筒状袋１３ａ，１３ｂに構成される。
【００１０】
本実施例に係る長尺袋１１をなす織布は、ラズベリーの香気成分であるラズベリーケトンを配合した繊維から成る織布から形成される。
また、図１及び図２に示すように長尺袋１１はこの織布から上布１６、下布１７と、側帯１８及び補助側帯１８ａを裁断し、縫着して形成される。このとき、まず長尺袋１１は上布１６、下布１７を側帯１８に縫着し、補助側帯１８ａの部分を開放しておく。その開放部分からクッション材１５を充填し、しかる後に、補助側帯１８ａをその開放部分に縫着して長尺袋１１を形成する。
したがって、こぶ状袋１２ａ，１２ｂ，１２ｃ，１２ｄ，１２ｅ，１２ｆと筒状袋１３ａ，１３ｂ，１３ｃ，１３ｄ，１３ｅをそれぞれ別体に形成してから接合するよりも製造工程を省くことができ、かつ、細かいパイプ状のクッション材１５が長尺袋１１の内部で流動するので、柔軟性を備えた長尺袋１１が構成される。
【００１１】
本実施例に係る巻枕１０の構成は以上であって、次に使用方法を説明する。
本実施例に係る巻枕１０は、首、肩、腕、腰、腿等に巻き付けて使用するものであって、図３及び図４に、首から胸部にかけて巻枕１０を巻き付けた状態を正面から見た図を示す。
【００１２】
図３に示した巻枕１０は、長尺袋１１の中心部の筒状袋１３ｃを首後方に配し、その両隣のこぶ状袋１２ｃ，１２ｄを首の左右に当接させ、長尺袋１１を胸部前方で交差し、こぶ状袋１２ａ，１２ｂ，１２ｅ，１２ｆを胸部前面に配して、背面で雄型留め具１４ａを雌型留め具１４ｂに係止する。
そして就寝したり、首の回転運動等を行ったりすると、こぶ状袋１２ａ，１２ｂ，１２ｃ，１２ｄ，１２ｅ，１２ｆは、首、胸部を圧迫し、つぼを刺激するため、それらの部分においてマッサージ効果を得ることができる。
【００１３】
図４に示した巻枕１０は、長尺袋１１の中心部の筒状袋１３ｃを首後方に配し、その両隣のこぶ状袋１２ｃ，１２ｄを首の左右に当接させ、長尺袋１１は左右両脇の下を通し、こぶ状袋１２ｂ，１２ｅが脇の下に当接し、こぶ状袋１２ａ，１２ｆが肩甲骨下部に配されるようにして、背面で雄型留め具１４ａを雌型留め具１４ｂに係止する。
そして上記同様に就寝したり、首の回転運動等を行ったりすると、こぶ状袋１２ａ，１２ｂ，１２ｃ，１２ｄ，１２ｅ，１２ｆは、首、脇の下、肩甲骨下部を圧迫し、つぼを刺激するため、それらの部分においてマッサージ効果を得ることができる。
【００１４】
また、本実施例に係る巻枕１０の使用方法のうち、巻枕１０を腕へ巻き付けた状態を正面から見た図を図５に示す。
図５に示す巻枕１０は、長尺袋１１を腕の付け根から手首に向かって巻き付け、手首付近から付け根に向かって巻き付けて、腕の付け根において雄型留め具１４ａを雌型留め具１４ｂに係止する。
そして腕を屈伸させると、その運動に伴い、こぶ状袋１２ａ，１２ｂ，１２ｃ，１２ｄ，１２ｅ，１２ｆは、腕を圧迫し、つぼを刺激するため、マッサージ効果を得ることができる。
【００１５】
さらに、本実施例に係る巻枕１０の使用方法のうち、巻枕１０を腰に巻き付けた状態を背面から見た図を図６に示す。
図６に示す巻枕１０は、長尺袋１１の中心部の筒状袋１３ｃが背骨付近に来るように配し、背骨の左右にこぶ状袋１２ｃ，１２ｄが、わき腹にこぶ状袋１２ｂ，１２ｄが、へそ付近の左右にこぶ状袋１２ａ，１２ｂが配され、腹部側で雄型留め具１４ａを雌型留め具に係止する。
この状態で、就寝若しくは寝転がったりすると、こぶ状袋１２ａ，１２ｂ，１２ｃ，１２ｄ，１２ｅ，１２ｆが腰の周囲を圧迫し、つぼを刺激するため、マッサージ効果を得ることができる。
【００１６】
以上のように本実施例に係る巻枕１０は、こぶ状袋１２ａ，１２ｂ，１２ｃ，１２ｄ，１２ｅ，１２ｆと筒状袋１３ａ，１３ｂ，１３ｃ，１３ｄ，１３ｅを交互に配した長尺袋１１を備えるため、巻き付けた部分へ、一様に圧力が加わるのではなく、こぶ状袋１２ａ，１２ｂ，１２ｃ，１２ｄ，１２ｅ，１２ｆが当接する一点が身体を圧迫し、かつ、つぼを刺激するため、高いマッサージ効果を得ることができる。
また、筒状袋１３ｃを他の筒状袋１３ａ，１３ｂ，１３ｄ，１３ｅよりも若干長めに形成したので、図３及び図４に示したように巻枕１０を首に巻き付ける際に、余分な力を加えることなく首を挟むようにして巻き付けることができる。
さらに上記したこれら使用方法に加えて、図示してはいないが、腿部に巻き付け、屈伸運動をすることで、腕と同様なマッサージ効果を得ることもできる。
【００１７】
ここで、本実施例に係る巻枕１０を構成する長尺袋１１は、ラズベリーの香気成分による脂肪分解促進作用がある織布を用いて形成したので、マッサージ効果を得ることに加えて、ダイエット効果を得ることができる。また、本実施例に用いた織布に変えて、抗菌、防臭等の機能を備えた織布若しくは洗濯や紫外線に対する耐久性を高めた織布を用いたり、或いは、ラズベリー成分に変えて、他の快眠効果や、マッサージ効果等を高める成分を配合した織布を用いたりしても良い。
【００１８】
さらに、本実施例に係る巻枕１０を構成するクッション材１５は、遠赤外線を発生し、皮膚の表面から深部への保温効果を高め、かつマイナスイオンによる防臭効果とリラックス効果が高められたトルマリンパイプを用いた。しかし、クッション材には、他に、ハーブやオイルエッセンスを加えて香りによる快眠効果を高めたり、抗菌・防臭効果のある素材を配合した合成樹脂製パイプを細かく所定の長さに切断して用いたり、従来のそば殻、小豆等を充填したり、流動性に優れた細かいビーズ状のクッション材を用いたりして、長尺袋１１の柔軟性や反発力等を調整することができる。
【００１９】
本実施例においては巻枕１０を構成する長尺袋１１を１ｍ前後となるように構成したが、使用者の身体に合わせて、こぶ状袋１２ａ，１２ｂ，１２ｃ，１２ｄ，１２ｅ，１２ｆの大きさを変えたり、筒状袋１３ａ，１３ｂ，１３ｃ，１３ｄ，１３ｅの長さを変えたりした巻枕も構成することが可能である。また、こぶ状袋の数を増やしたり或いは減らしたりして長さを変えた巻枕や、筒状袋の長さや数を変えた巻枕等を構成することも可能である。
【図面の簡単な説明】
【００２０】
【図１】本発明の実施例１に係る巻枕を示す斜視図である。
【図２】本発明の実施例１に係る巻枕のこぶ状袋部分と筒状袋部分を示す部分断面図である。
【図３】本発明の実施例１に係る巻枕の使用方法について、首から胸部にかけて巻き付けた場合の説明図である。
【図４】本発明の実施例１に係る巻枕の使用方法について、首から胸部にかけて巻き付けた場合の説明図である。
【図５】本発明の実施例１に係る巻枕の使用方法について、腕に巻き付けた場合の説明図である。
【図６】本発明の実施例１に係る巻枕の使用方法について、腰に巻き付けた場合の説明図である。
【符号の説明】
【００２１】
１０…巻枕、１１…長尺袋、１２ａ，１２ｂ，１２ｃ，１２ｄ，１２ｅ，１２ｆ…こぶ状袋、１３ａ，１３ｂ，１３ｃ，１３ｄ，１３ｅ…筒状袋、１４ａ…雄型留め具、１４ｂ…雌型留め具、１５…クッション材、１６…上布、１６ａ…上布の円形部分、１６ｂ…上布の短冊状部分、１７…下布、１７ａ…下布の円形部分、１７ｂ…下布の短冊状部分、１８…側帯、１８ａ…補助側帯。
【図１】
2006314614.tif 000003
【図２】
2006314614.tif 000004
【図３】
2006314614.tif 000005
【図４】
2006314614.tif 000006
【図５】
2006314614.tif 000007
【図６】
2006314614.tif 000008